(57)【要約】【課題】ベースに本体を回転可能に固定して、端子台の配線接続作業性が向上できるとともに、ベースは本体と離さずにボックスに固定できる光電式分離型煙感知器を提供する。【解決手段】壁面に取付するベース板２と、ベース板２にネジ３０，６７に固定され、火災検出用の光学系部品を搭載して回路基板８の収納部を有する本体３と、前面に光学フィルタを有するカバー２０と、を備え、ネジ６７を支点として、ベース板２に本体３を回転可能に取付している。【選択図】図３
2009245123.tif 000002
【特許請求の範囲】
【請求項１】
壁面に取付するベースと、該ベースに複数の係止部に固定され、火災検出用の光学系
部品を搭載して回路基板の収納部を有する本体と、前面に光学フィルタを有するカバーと、を備える光電式分離型煙感知器において、
前記係止部のうち１つを支点として、前記ベースに前記本体を回転可能に取付したこと
を特徴とする光電式分離型煙感知器。
【請求項２】
前記本体が回転する角度を略９０°〜略１８０°で保持するストッパー部材を設けたことを特徴とする請求項１記載の光電式分離型煙感知器。
【発明の詳細な説明】
【技術分野】
【０００１】
本発明は、大空間などの用途で高所取付作業を伴う光電式分離型煙感知器に関する。
【背景技術】
【０００２】
従来の光電式分離型煙感知器は、光軸などの調整や感度設定を行うために開閉するカバーの開閉を検出するカバー開閉状態判別手段と、感度を設定する距離選択スイッチの設定状態を判別する感度設定状態判別手段とを設け、感度設定が設定されていない状態でカバーが閉められたことを検出したとき、障害信号を出力する障害信号出力手段を設けている（例えば、特許文献１参照）。
【０００３】
【特許文献１】特許第３１８４３９７号公報（段落００１５、００２８、図２〜図４）
【発明の開示】
【発明が解決しようとする課題】
【０００４】
従来の光電式分離型煙感知器は、取り付け板を壁面に取り付ける際に、本体を外す必要があり、また、感知器の配線は下方を経由して前方の端子台に接続するので配線スペースを十分確保しなければならず、感知器の取付作業性が悪く、光学系部品に感知器設置場所付近に浮遊する粉塵等が付着して感度調整時の設定値に影響を及ぼすという問題があった。
【０００５】
この発明は上述のような課題を解決するためになされたもので、ベースに本体を回動可能に固定して、端子台の配線接続作業性を向上させるとともに、ベースは本体と離さずにボックスに固定できる光電式分離型煙感知器を提供することを目的とする。
【課題を解決するための手段】
【０００６】
この発明の光電式分離型煙感知器は、壁面に取付するベースと、該ベースに複数の係止部に固定され、火災検出用の光学系部品を搭載して回路基板の収納部を有する本体と、前面に光学フィルタを有するカバーと、を備える光電式分離型煙感知器において、前記係止部のうち１つを支点として、前記ベースに前記本体を回転可能に取付したものである。
【０００７】
また、前記本体が回転する角度を略９０°〜略１８０°で保持するストッパー部材を設けたものである。
【発明の効果】
【０００８】
この発明によれば、壁面に取付するベースと、該ベースに複数の係止部に固定され、火災検出用の光学系部品を搭載して回路基板の収納部を有する本体と、前面に光学フィルタを有するカバーと、を備える光電式分離型煙感知器において、前記係止部のうち１つを支点として、前記ベースに前記本体を回転可能に取付したので、ベース板の設置時に本体を別の場所に置く必要がなく、端子台の配線接続作業性を向上させるとともに、光学系部品を感知器設置場所付近に浮遊する粉塵等から隔離することができる。
【０００９】
また、前記本体が回転する角度を略９０°〜略１８０°で保持するストッパー部材を設けたので、端子台の配線接続作業を作業しやすい任意の角度で行うことができる。
【発明を実施するための最良の形態】
【００１０】
実施の形態１
図１は、本発明における光電式分離型煙感知器の送、受光器の外観斜視図である。図２は、本発明における光電式分離型煙感知器の送、受光器のカバーを取り外した外観図、図３は、図２において本体を約９０°回転させた状態の外観図、図４は図２において本体を約１８０°回転させた状態の外観図である。図２〜４の（ａ）、（ｂ）は各々斜視図と正面図を示す。
図１〜４において、１は送，受光器で、受光器１ｂが示されている（送光器１ａは不図示）。２は壁面等に設置された図示しないボックスへ螺着されるベース板、３は支持枠４や光学台５や光学素子等からなる光学系部品を搭載する本体、２０は、正面上部には略円弧状の光学フィルタを有する正面プレート２１と正面下部には感度調整時に開閉する操作部カバー２２を備える、カバーである。
【００１１】
２ａは、本体３の背面側の取付台となるベース板２の吊下片である。この吊下片２ａは、略長方形の配線口８０から切り起こされている。また、３ａは本体３の器台で、内部に回路基板８を収納する。また、３ｂ１は孔６１，６２を有し、本体３を延長した右取付片、３ｂ２は孔６５，６６を有し、本体３を延長した左取付片、３０は右取付片３ｂ１の取付ネジ、６７は左取付片３ｂ２の取付ネジ、３１はカバー２０をベース板２の上部に引っ掛けたときにその下部に溝部を介して器台３ａの取付突部３ｃに固定するための取付ネジである。４は正面の縦断面が略コ字状の板金製の支持枠であり、固定ネジ（図示せず）の位置を中心に回転可能に器台３ａの天面に固定される。
【００１２】
また、ベース板２には、右取付片３ｂ１の孔６１に挿通して取付ネジ３０を螺合するネジ孔６３及び左取付片３ｂ２の孔６６に挿通して取付ネジ６７を螺合するネジ孔７４が設けられている。さらに、後述するように、本体３を取付ネジ６７を支点として左回りに略９０°回転して、取付ネジ３０を孔６２に挿通して螺合するために用いるネジ孔６４と、本体３を取付ネジ６７を支点として略１８０°回転して、取付ネジ３０を孔６２に挿通して螺合するために用いるネジ孔６８が設けられている。つまり、支点から各ネジ孔までは同一半径となっている。
本体３を略９０°〜略１８０°に回転させると、ベース板２の配線口８０が本体３に塞がれることがないとともに、電線を端子台９の各端子に接続する際に視認性がよい。つまり、配線作業性がよくなる。
【００１３】
５は光学台で、例えば、暗色の樹脂で椀状に形成されている。５ａは光学台５の左右側方の回転軸、５ｂと５ｃは照準孔と覗き孔、７は傾斜したミラーで、左右が対構造で斜め前方の左右何れからも調整できる照準器が構成されている。また、６は前面に嵌装されたレンズであり、光学台５の内部には、レンズ６と光学台５の軸心に、例えば、フォトダイオード等の受光素子が設けられている。
光学台５は回転軸５ａを左右両側の支持枠４の軸受孔４ａに嵌合させて、光学台５が支持枠（図示せず）に垂直方向に回転可能に支持されている。
【００１４】
４１と４２は光軸に沿って並行して設けられた２本の調整ネジ、４３と４４は座金、４５と４６は組み付け状態で拡張力を加えるコイルバネである。また、実施の形態１の２本の調整ネジ４１と４２は、それぞれ光学台５の見掛け上の回転中心からずらされて設けられている。そして、一方の調整ネジ４１は座金４３とコイルバネ４５とを介して、ネジ部が本体３の挿通孔３ｄに挿通されて先端を支持枠４のネジ孔４ｂに螺合させる。また、他方の調整ネジ４２は座金４４とコイルバネ４６とを介して、光学台５の挿通孔５ｄに通されてからネジ先端を支持枠４のネジ孔４ｃに螺合させている。
【００１５】
１２は本体３の下部に設けられた操作部のパネル、８は回路基板である。回路基板８は、図示しない電気部品等と外部からの感知器用の配線を接続する端子台９が回路基板８に下向きに実装され、絶縁カバー１０が取付られ保護されている。また、絶縁カバー１０の頂面は、外部からの配線を端子台９に誘導するために傾斜面として配線接続性を向上させている。なお、パネル１２に印刷された図示しない表示の位置に合わせて、ＬＥＤを用いた火災確認灯５０とトラブル表示灯５１、監視／調整モード切換スイッチ５２、監視距離の切換スイッチ５３と感度設定ボリューム５４、バッテリ端子５５が操作または確認可能な状態で実装される。７３は建物内の対向側壁の天井付近等に設けられた図示しないボックスに、ベース板２を取付ネジ７２で固定して設置するときに用いるダルマ孔である。
【００１６】
上述の図１〜４に受光器１ｂを例示したが、送、受光器１には同一形状の筐体が共通的に用いられる。送光器１ａ（不図示）と受光器１ｂで異なるところは、光学台５の内部に配置される送、受光素子と信号の処理回路およびＬＥＤ等を搭載する回路基板８等の主に送、受光という機能上の相違に伴う構成部材に限られる。そして、筐体をほぼ共通化した送光器１ａと受光器１ｂが、図示されていないボックス等を介して建物内の天井や側壁等の両側に分離されて一直線上に対向して取り付けられる。
【００１７】
次に、本発明の光電式分離型煙感知器の取付方法として、まず、本体を略９０°回転して保持する場合について図２，３により説明する。
光電式分離型煙感知器は図１に示すように本体３は、右取付片３ｂ１の孔６１に取付ネジ３０を挿通し、ネジ孔６３に螺合させ、左取付片３ｂ２の孔６６に取付ネジ６７を挿通し、ネジ孔７４に螺合させてベース板２に固定されている。
建物内の対向側壁の天井付近等に光電式分離型煙感知器を取り付けるときは、まず、取付ネジ３０を取り外し、取付ネジ６７をゆるめ、取付ネジ６７を中心にして、本体３を左回りに回転して、取付ネジ３０を右取付片３ｂ１の孔６２に挿通してベース板２のネジ孔６４に螺合して固定する。また、ゆるめた取付ネジ６７もまた固定する。このとき、ベース板２のネジ孔６４は、本体３を左回りに略９０°回転した位置に設けられているので、本体３は略９０°回転した位置に保持される。
【００１８】
次に、建物内の対向側壁に設けられた図示しないボックスに、ベース板２の吊下片２ａを取付ネジ７１でネジ止め、また、ダルマ孔７３を取付ネジ７２で固定して設置する。そして、設置されたベース板２の配線口８０を通して壁内から引出された図示されていない電線を本体３の回路基板８に実装された端子台９に接続する。配線が終了すると、まず、取付ネジ３０をネジ孔６４から取り外し、取付ネジ６７をゆるめ、取付ネジ６７を中心にして、本体３を右回りに回転して、右取付片３ｂ１の孔６１に取付ネジ３０を挿通してベース板２のネジ孔６３に螺合して固定し、ゆるめた取付ネジ６７を固定して本体３を元の位置に戻す。
【００１９】
次に、光軸の調整は次の手順で行われる。まず、側壁に取付けられた受光器１ｂのカバー２０が外された状態で、本体３の前面斜め方向から覗き孔５ｃを覗いて、照準孔５ｂとミラー７を通して対向側壁面上の送光器１ａを透視する。透視しながら右の調整ネジ４１を回して、支持枠４を回転させる。そして、ミラー７上の送光器１ａの投影像の横幅の中央を、照準孔５ｂの水平方向の中心に一致させる。この操作で、照準器を用いた光軸の水平（左右）方向が調整される。次に、光軸の水平方向の調整に続いて垂直方向の光軸調整も行われる。垂直方向の光軸の調整には、左側の調整ネジ４２が利用される。先端のネジ部がネジ孔４５に捩じ込まれた調整ネジ４２を正逆回転すると、光学台５が左右の回転軸５ａを中心に垂直面内で俯仰回転する。そして、照準孔５ｂに挿通してミラー７上に投影された前方の送光器１ａの投影像の中心が照準孔５ｂの中心位置に確認された時に、送光器１ａと受光器１ｂの光軸が一致して光学系の光軸調整が終了する。
【００２０】
一般に、この種の感知器に用いられる送光素子は、指向性を有する。送光素子の指向性に基づいて受光出力のピーク値が光軸からずれているときは、光軸調整をしてズレを補償することが必要になる。このため、上述の照準器を利用した光学系の見掛け上の光軸調整の終了後、図示しないレベルメータ（ＤＶＭ）を用いて指向性を補償するための最終的な調整が行われる。指向性を補償する光軸調整には、受光素子６０の受光出力を測定するためのレベルメータが受光器１ｂ側に接続される。受光器１ｂに接続されたレベルメータによって、送光器１ａ側の調整ネジ４１、４２の回転位置に対応する受光出力が測定される。
【００２１】
次に、本体が回転する角度を略１８０で保持する方法を図２，４により説明する。
この場合は、本体３の左取付片３ｂ２の孔６５と、ベース板２に設けたネジ孔６８を用いて行う。
光電式分離型煙感知器は図１に示すように本体３はベース板２に固定されている状態で、まず、取付ネジ３０を取り外し、取付ネジ６７をゆるめ、取付ネジ６７を中心にして、本体３を左回りに回転して、左取付片３ｂ２のネジ孔６５に挿通して取付ネジ３０をベース板２のネジ孔６８に螺合して固定する。また、ゆるめた取付ネジ６７もまた固定する。
このとき、ベース板２のネジ孔６８は、本体３を左回りに１８０°回転した位置に設けられているので、本体３は１８０°回転した位置に保持される。
【００２２】
次に、対向側壁の天井付近等に設けられた図示しないボックスに、ベース板２設置し、配線が終了すると、まず、取付ネジ３０をネジ孔６８から取り外し、取付ネジ６７をゆるめ、取付ネジ６７を中心にして、本体３を右回りに回転して、右取付片３ｂ１の孔６１に取付ネジ３０を挿通してベース板２のネジ孔６３に螺合して固定し、ゆるめた取付ネジ６７を固定して本体３を元の位置に戻す。
【００２３】
なお、以上のように本体３が回転する角度を略９０°と略１８０°で保持するときに、ストッパーとして取付ネジ３０、６７等を用いて行う方法を説明したが、ネジでなくともピンでもよい。
また、ネジ孔６４を回転各略９０°を超える位置に設けるか、ネジ孔６８を、回転角略１８０°以内の位置に設けるか、あるいは、ベース板２のネジ孔６４にチエーンの一端を引っ掛け、チエーンの任意の輪の位置と取付片３ｂの孔６２にネジを挿入して保持し、本体３が回転する角度を略９０°〜略１８０°の任意の角度で保持して作業を行ってもよい。
【００２４】
以上のように、壁面に取付するベース板２と、ベース板２に複数の取付ネジに固定され、火災検出用の光学系部品を搭載して回路基板８の収納部を有する本体３と、前面に光学フィルタを有するカバー２０と、を備え、取付ネジのうち１つの取付ネジ６７を支点として、ベース板２に本体３を回転可能に取付したので、ベース板２の設置時に本体３を別の場所に置く必要がなく、端子台９の配線接続作業性を向上させるとともに、光学系部品を感知器設置場所付近に浮遊する粉塵等から隔離することができる。
【００２５】
また、本体３が回転する角度を略９０°〜略１８０°で保持するストッパー部材を設けたので、端子台９の配線接続作業を作業しやすい任意の角度で行うことができる。
なお、本実施の形態では、左下の取付ネジ６７を支点として回転を行う例を示したが、右下の取付ネジ３０を支点としてもよい。
【図面の簡単な説明】
【００２６】
【図１】本発明における光電式分離型煙感知器の外観斜視図である。
【図２】本発明における光電式分離型煙感知器のカバーを取り外した外観図である。
【図３】図２において本体を約９０°回転させた状態の外観図である。
【図４】図２において本体を約１８０°回転させた状態の外観図である。
【符号の説明】
【００２７】
１  送、受光器、１ａ  送光器、１ｂ  受光器、２  ベース板、３  本体  、４ｂ  ネジ孔、５  光学台、８  回路基板、９  端子台、２０  カバー、３０  取付ネジ、６０  受光素子、６１  孔、６２  孔、６４  ネジ孔、６５  ネジ孔、６６  孔、６７  取付ネジ、６８  ネジ孔、７４  ネジ孔、８０  配線口。
【図１】
2009245123.tif 000003
【図２】
2009245123.tif 000004
【図３】
2009245123.tif 000005
【図４】
2009245123.tif 000006